(57)【特許請求の範囲】
【請求項１】
レンズに取付られるヨロイ部材と、
テンプル部材と、
前記ヨロイ部材およびテンプル部材のいずれか一方に設けられた略円筒状部材と、
前記ヨロイ部材およびテンプル部材のいずれか他方に形成されたＪ字状曲折部と  
を有し、前記円筒状部材は、上部に鍔部が形成されると共に、この鍔部の直ぐ下方に、所定の曲率半径の円弧状窪みとこれに滑らかに連続する直線状の斜面とからなる凹部が形成された略鼓状であり、
前記Ｊ字状曲折部は、前記円筒状部材の中心孔に挿通される第１脚部と、前記円筒状部材の外周部に接する第２脚部とを備え、このＪ字状曲折部の第２脚部は前記凹部に倣うべく曲折されており、前記第１脚部が前記中心孔に挿通されたとき、これら第１脚部と第２脚部とで前記円筒状部材を弾性的に挟持するように構成されていることを特徴とするねじ無し丁番。
【請求項２】
前記円筒状部材は、前記ヨロイ部材およびテンプル部材のいずれか一方の脚部が前記円弧状窪みに接合される形態で、一体に形成されていることを特徴とする請求項１に記載のねじ無し丁番。
【請求項３】
前記第２脚部は、前記ヨロイ部材およびテンプル部材のいずれか他方の端部の直線状部に対し鋭角に曲折され、その折り曲げの外周部が前記円弧状窪みの曲率半径と等しい曲率半径を有するように形成されていることを特徴とする請求項２に記載のねじ無し丁番。
【請求項４】
請求項１から請求項３のいずれかに記載のねじ無し丁番を備えることを特徴とする眼鏡。
【発明の詳細な説明】
【０００１】
【発明の属する技術分野】
本発明は、ねじ無し丁番に関し、特に眼鏡用のねじ無し丁番およびこれを備えた眼鏡に関する。
【０００２】
【従来の技術】
従来、かかる眼鏡用のねじ無し丁番としては、例えば、特開２００１−７５０５６号公報に記載のものが知られている。
【０００３】
特開２００１−７５０５６号公報に記載のねじ無し丁番は、一端がレンズまたはリムに設置される線状材料から成る結合部材の他端にＵ字状の湾曲部を形成すると共に、テンプルの一端に、周方向に溝が形成された嵌合部材を設け、前記結合部材のＵ字状の湾曲部が前記嵌合部材の周方向溝と少なくとも２箇所で接触するように、前記Ｕ字状の湾曲部間に前記嵌合部材を回動可能に嵌合させている。
【０００４】
【発明が解決しようとする課題】
しかしながら、かかる従来のねじ無し丁番においては、周方向に溝が形成された嵌合部材をＵ字状の湾曲部で少なくとも２箇所で接触するように挟み込み、テンプルの回動を行わせるようにしているので、その構造上、挟持力が充分にとれず、テンプルが上下方向に振れ、掛け心地が悪いという問題があった。
【０００５】
また、Ｕ字状の湾曲部に嵌合部材の曲率と一致する窪みを設け、嵌合部材の回動を案内するようにしているものの、嵌合部材の回動中心が一定せず、テンプルの開閉が安定しないという問題もあった。
【０００６】
本発明の目的は、かかる従来の問題を解決し、簡単な構造で、テンプルの上下方向の振れがなく、開閉が安定したねじ無し丁番を提供することにある。
【０００７】
【課題を解決するための手段】
上記目的を達成する本発明の一形態に係るねじ無し丁番は、レンズに取付られるヨロイ部材と、テンプル部材と、前記ヨロイ部材およびテンプル部材のいずれか一方に設けられた略円筒状部材と、前記ヨロイ部材およびテンプル部材のいずれか他方に形成されたＪ字状曲折部とを有し、前記円筒状部材は、上部に鍔部が形成されると共に、この鍔部の直ぐ下方に、所定の曲率半径の円弧状窪みとこれに滑らかに連続する直線状の斜面とからなる凹部が形成された略鼓状であり、前記Ｊ字状曲折部は、前記円筒状部材の中心孔に挿通される第１脚部と、前記円筒状部材の外周部に接する第２脚部とを備え、このＪ字状曲折部の第２脚部は前記凹部に倣うべく曲折されており、前記第１脚部が前記中心孔に挿通されたとき、これら第１脚部と第２脚部とで前記円筒状部材を弾性的に挟持するように構成されていることを特徴とする。
【０００８】
上記構成によれば、テンプル部材の回動中心が円筒状部材の中心孔に挿通される第１脚部にて形成され、しかも、第１脚部と第２脚部とで円筒状部材が弾性的に挟持されるので、テンプルの上下方向の振れがなく、開閉が安定したねじ無し丁番を得ることができる。
【０００９】
ここで、第１脚部を円筒状部材の中心孔に挿通すると、円筒状部材の凹部に倣うべく曲折されている第２脚部が必然的に所定位置に収まり、ズレが無くて連結されるので、さらにテンプルの上下方向の振れがなく、開閉が安定したねじ無し丁番を得ることができる。
【００１０】
また、前記円筒状部材は、前記ヨロイ部材およびテンプル部材のいずれか一方の脚部が前記円弧状窪みに接合される形態で、一体に形成されていてもよい。この構成によると、ヨロイ部材およびテンプル部材の位置を一直線上に配置できるので、デザイン的にもすっきりとしたねじ無し丁番を得ることができる。
【００１１】
さらに、前記第２脚部は、前記ヨロイ部材およびテンプル部材のいずれか他方の端部の直線状部に対し鋭角に曲折され、その折り曲げの外周部が前記円弧状窪みの曲率半径と等しい曲率半径を有するように形成されていることが好ましい。この構成によると、さらにズレが無くて連結されるので、テンプルの上下方向の振れがなく、開閉が安定したねじ無し丁番を得ることができる。
【００１２】
【発明の実施の形態】
以下、本発明の実施の形態を添付図面を参照しつつ説明する。なお、本明細書の記述において、「前後」、「左右」および「上下」等の方向を表す表現は、眼鏡が通常の状態で人に装着されているときの方向を表している。
【００１３】
図１ないし３において、本発明の一実施の形態に係るねじ無し丁番を備えたリムレス眼鏡１００は、左右のレンズ１１０と、レンズ１１０に固設された、ヨロイ側樹脂パーツ１２０およびブリッジ側樹脂パーツ１３０と、テンプル１７０に本発明に係るねじ無し丁番１６０を介して連結されたヨロイ１４０およびブリッジ１５０とを備えている。
【００１４】
ヨロイ側樹脂パーツ１２０は、図４に詳細に示すように、レンズ１１０の外側面にほぼ平行な面内に延在し、一部がレンズ１１０の側面に当接して位置されるほぼ長円形状の基部１２２と、該基部１２２から延出し、レンズ１１０の前面に位置される腕部１２４と、該腕部１２４から後方に、基部１２２とほぼ平行に突出する脚部１２６とを有し、基部１２２の外周部には取付溝１２８が形成されている。該取付溝１２８が形成された長円形状の基部１２２は、図４から明らかなように、二つの円弧部１２２ｆおよび１２２ｒを含んでおり、本実施の形態では、該二つの円弧部がレンズ１１０の光軸にほぼ平行する前後方向に配置されている。
【００１５】
そして、取付溝１２８は、該外周部の少なくとも前側の円弧部１２２ｆを含む部分に形成されていればよいが、後述するヨロイの取付を確実にするために、図４に示すように、前側および後側の二つの円弧部１２２ｆおよび１２２ｒを含む長円状外周部の全周に亘り形成されている。その結果、取付溝１２８のその底部は、側方から見たとき、前側の円弧部１２８ｆおよび後側の円弧部１２８ｒとこれらの間の平行部１２８ｐとを有する形状となる。
【００１６】
同じく、ブリッジ側樹脂パーツ１３０は、図５に詳細に示すように、レンズ１１０の内側面にほぼ平行な面内に延在し、一部がレンズ１１０の側面に当接して位置されるほぼ長円形状の基部１３２と、該基部１３２から延出しレンズ１１０の前面に位置される腕部１３４と、該腕部１３４から後方に、基部１３２とほぼ平行に突出する脚部１３６とを有し、基部１３２の外周部には取付溝１３８が形成されている。該取付溝１３８が形成された長円形状の基部１３２は、図５から明らかなように、二つの円弧部１３２ｔおよび１３２ｂを含んでおり、本実施の形態では、該二つの円弧部がレンズ１１０の光軸にほぼ直交する上下方向に配置されている。
【００１７】
そして、取付溝１３８は、該外周部の少なくとも上側の円弧部１３２ｔを含む部分に形成されていればよいが、後述するブリッジ１５０との取付を確実にするために、図５に示すように、二つの円弧部１３２ｔおよび１３２ｂを含む長円状外周部の全周に亘り形成されている。その結果、取付溝１３８のその底部は、側方から見たとき、上側の円弧部１３８ｔおよび下側の円弧部１３８ｂとこれらの間の平行部１３８ｐとを有する形状となる。
【００１８】
なお、本実施の形態では、レンズ１１０には、図１および２から明らかなように、その内外側縁部近傍にレンズ孔１１２がそれぞれ穿設されている。
【００１９】
ヨロイ１４０は、本実施の形態では一本の金属線材（例えば、チタン合金、ニッケル・クロム合金、ニッケル・チタン合金等の弾性材）から形成され、その一端部には後述するねじ無し丁番１６０が設けられている。そして、該ねじ無し丁番１６０を介してテンプル１７０が連結されている。
【００２０】
ここで、ヨロイ１４０には、ねじ無し丁番１６０と逆側の端部に、ヨロイ側樹脂パーツ１２０に一方向から導入され、その取付溝１２８に弾性的に係合する略U字状の屈曲部１４２が形成されている。略U字状の屈曲部１４２は、詳しくは、ねじ無し丁番１６０に連なる第１脚部１４３と第２脚部１４４とに連続し、第１脚部１４３と第２脚部１４４とが取付溝１２８の平行部１２８ｐを挟む形態で弾性的に係合する。さらに、第２脚部１４４の先端部には、図６に示すように、取付溝１２８の後側の円弧部１２８ｒに沿って係合すべく、第１脚部１４３側に僅かに凸状に湾曲された湾曲部１４５が設けられている。
【００２１】
次に、ブリッジ１５０は、同じく、金属線材（例えば、チタン合金、ニッケル・クロム合金、ニッケル・チタン合金等の弾性材）から第１のU字状屈曲部１５２とこれに連なる第２のU字状屈曲部１５５とを備えて形成され、本実施の形態では、該第１のU字状屈曲部１５２の第１脚部１５３同士が連結部１５１で連結されている。なお、図７に詳細に示すように、第１のU字状屈曲部１５２の第２脚部１５４は第２のU字状屈曲部１５５の第１脚部１５６と直線的に連続し、第１のU字状屈曲部１５２の第１脚部１５３と第２脚部１５４との両脚部がブリッジ側樹脂パーツ１３０の取付溝１３８に係合し、第２のU字状屈曲部１５５の第２脚部１５７の先端には鼻当てパッド１５８が取り付けられている。
【００２２】
ここで、第１のU字状屈曲部１５２は眼鏡の下方向に凸で、その第１脚部１５３と第２脚部１５４とは互いに平行であり、一方、第１のU字状屈曲部１５２の第２脚部１５４と直線的に連続する第１脚部１５６を有する第２のU字状屈曲部１５５は眼鏡の上方向に凸で、その第１脚部１５６と第２脚部１５７とも互いにほぼ平行である。但し、第１のU字状屈曲部１５２の第１脚部１５３とその第２脚部１５４（および第２のU字状屈曲部１５５の第１脚部１５６）と第２のU字状屈曲部１５５の第２脚部１５７とは、図１から明らかなように、眼鏡の前方から見てほぼ重なるよう形成されている。
【００２３】
なお、１５８は鼻当てパッドであり、本実施の形態では、ブリッジ１５０を構成している第２のU字状屈曲部１５５の第２脚部１５７の先端部に取付けられているが、他のパッドアームに設けられてもよい。
【００２４】
さらに、ねじ無し丁番１６０とテンプル１７０につき、図８を主に参照して説明する。本実施の形態においては、ねじ無し丁番１６０が略鼓状のソケット部材１６２とテンプル１７０の端部に形成されたＪ字状曲折部１７２との組合せにより構成されている。より詳しくは、ソケット部材１６２には中心に貫通孔１６４、上部に鍔部１６６が形成されると共に、鍔部１６６の直ぐ下方には、所定の曲率半径の円弧状窪み１６７とこれに滑らかに連続する直線状の斜面１６８とからなる凹部１６９が形成されている。そして、このソケット部材１６２は、本実施の形態においては、上述したヨロイ１４０の第１脚部１４３が円弧状窪み１６７に接合される形態で、ヨロイ１４０と一体に形成されている（図６（Ａ）、図８（Ｃ）参照）。
【００２５】
金属線材（例えば、チタン合金、ニッケル・クロム合金、ニッケル・チタン合金等の弾性材）からなるテンプル１７０の端部に形成されたＪ字状曲折部１７２は、ソケット部材１６２の貫通孔１６４に挿通される第１脚部１７４とこれに連なる第２脚部１７６とを備え、第１脚部１７４が貫通孔１６４に挿通されたとき、第１脚部１７４と第２脚部１７６とでソケット部材１６２を弾性的に挟持するようにされている。さらに、該第２脚部１７６は、テンプル１７０の端部の直線状部に対し鋭角に曲折され、その折り曲げの外周部１７８は、上述のソケット部材１６２における円弧状窪み１６７の曲率半径と等しい曲率半径を有するように形成されている。
【００２６】
上記本発明の一実施の形態にあっては、次の手順によりリムレス眼鏡１００が組立られ完成されることになる。まず、レンズ１１０の内外側縁部近傍のレンズ孔１１２にヨロイ側樹脂パーツ１２０の脚部１２６およびブリッジ側樹脂パーツ１３０の脚部１３６を挿入することにより、ヨロイ側樹脂パーツ１２０およびブリッジ側樹脂パーツ１３０を、それぞれ、レンズ１１０に固着する。そして、ブリッジ側樹脂パーツ１３０に対し、ブリッジ１５０を取付けることにより、左右のレンズ１１０を連結する。この取付けは、ブリッジ１５０の第１のU字状屈曲部１５２を下向きにして、その第１脚部１５３とその第２脚部１５４（および第２のU字状屈曲部１５５の第１脚部１５６）とをブリッジ側樹脂パーツ１３０の取付溝１３８に下方向から導入することにより行われる。導入完了時には、第１のU字状屈曲部１５２が取付溝１３８の下側の円弧部１３８ｂに係合し、その第１脚部１５３とその第２脚部１５４とが取付溝１３８の平行部１３８ｐを挟持し、左右のレンズ１１０を確実に連結することになる。
【００２７】
かかる状態において、次に、ヨロイ側樹脂パーツ１２０に対し、ヨロイ１４０を取付ける。この取付けも、ブリッジ１５０の場合と同様に、ヨロイ１４０のU字状屈曲部１４２を前向きにして、その第１脚部１４３とその第２脚部１４４とをヨロイ側樹脂パーツ１２０の取付溝１２８に前方向から導入することにより行われる。導入完了時には、第１のU字状屈曲部１４２が取付溝１２８の前側の円弧部１２８ｆに係合し、その第１脚部１４３とその第２脚部１４４とが取付溝１２８の平行部１２８ｐを弾性的に挟持し、さらに、第２脚部１４４の湾曲部１４５が取付溝１２８の後側の円弧部１２８ｒに回り込んで係合する。この結果、ヨロイ１４０はヨロイ側樹脂パーツ１２０にガタツキ等が防止されて、確実に連結される。
【００２８】
そして、最後に、ヨロイ１４０に一体に形成されている略鼓状のソケット部材１６２にテンプル１７０を連結する。詳しくは、ソケット部材１６２の貫通孔１６４にテンプル１７０の端部に形成されたＪ字状曲折部１７２の第１脚部１７４を挿通すると共に、第２脚部１７６を凹部１６９に係合させ、第１脚部１７４と第２脚部１７６とでソケット部材１６２を弾性的に挟持させる。かくて、リムレス眼鏡１００は、ねじ等を一切用いることなく、各部品が連結されることにより完成されることになる。
【００２９】
上述のような連結構造を用いて構成されているリムレス眼鏡１００において、テンプル１７０等を介して、眼鏡に過剰な外力が作用した場合には、第一の部材としてのヨロイ側樹脂パーツ１２０またはブリッジ側樹脂パーツ１３０と、第二の部材としてのヨロイ１４０またはブリッジ１５０とは、ヨロイ側樹脂パーツ１２０の取付溝１２８およびブリッジ側樹脂パーツ１３０の取付溝１３８にそれぞれ弾性的に係合している略U字状の屈曲部１４２および１５２のいずれか、または両者が弾性的に変形し外れることになる。その結果、そのヨロイ１４０、ブリッジ１５０およびテンプル１７０等の部品の変形やレンズ１１０の割れが防止される。
【００３０】
次に、図９を参照して本発明の他の実施の形態につき説明する。なお、他の実施の形態が上述の一実施の形態と異なる点は、鼓状のソケット部材の取付とＪ字状曲折部の形成箇所を変更したことである。すなわち、他の実施の形態においては、鼓状のソケット部材１６２がテンプル１７０に接合されて連結され、ヨロイ１４０の第１脚部１４３の端部にＪ字状曲折部１７２が形成されている。ソケット部材１６２には中心に貫通孔１６４、上部に鍔部１６６が形成されると共に、鍔部１６６の直ぐ下方には、所定の曲率半径の円弧状窪み１６７とこれに滑らかに連続する直線状の斜面１６８とからなる凹部１６９が形成されていること、前実施の形態と同じであり、そして、このソケット部材１６２は、テンプル１７０の端部が円弧状窪み１６７に接合される形態で、テンプル１７０と一体にされている。また、ヨロイ１４０の第１脚部１４３の端部とＪ字状曲折部１７２の第２脚部１７６とは、第１脚部１４３の端部の直線状部に対し鋭角に曲折され、その折り曲げの外周部１７８が、上述のソケット部材１６２における円弧状窪み１６７の曲率半径と等しい曲率半径を有するように形成されていることも、前実施の形態と同じである。
【００３１】
なお、ヨロイ側樹脂パーツ１２０およびブリッジ側樹脂パーツ１３０のいずれか、または両者の脚部１２６および脚部１３６を省略すると共に、その省略に対応させて、レンズ１１０に穿孔されるレンズ孔１１２を省略することができる。
【００３２】
このように、脚部が省略されたヨロイ側樹脂パーツ１２０およびブリッジ側樹脂パーツ１３０は、レンズ１１０の表面に直接にその腕部１２４および１３４が接着剤等によって固着される。このようにすると、レンズへの穿孔作業も不要となり、また位置合せの調整作業も不要となって、作業工数を著しく低減することができる。
【００３３】
さらに、ヨロイ側樹脂パーツ１２０およびブリッジ側樹脂パーツ１３０は、特別の色に着色されていてもよく、このようにすると、ファッション性が向上する。また、前記樹脂パーツは、透明であってもよい。特に、脚部が省略されたヨロイ側樹脂パーツ１２０およびブリッジ側樹脂パーツ１３０の場合には、視野が制限されず明るくなり、また、見た目にもレンズ部への異物感が薄れすっきりとしたデザインの眼鏡が得られる。
【００３４】
なお、ヨロイ側樹脂パーツ１２０およびブリッジ側樹脂パーツ１３０の取付溝１２８および１３８は、前方から見たとき、垂直方向または水平方向に配置されていることが好ましい。前方から見たときすっきりとし、ファッション性が向上するからである。
【００３５】
ヨロイ側樹脂パーツ１２０およびブリッジ側樹脂パーツ１３０の取付溝１２８および取付溝１３８へのヨロイ１４０およびブリッジ１５０の導入方向、換言すると、差し込み方向は、上述の実施の形態では、ヨロイ１４０については前方向から、ブリッジ１５０については下方向からそれぞれ差し込む例を示したが、これは、所定の一方向である限り、いずれの方向であってもよい。
【００３６】
以上、本発明の好ましい実施の形態につき説明したが、本発明は上記実施の形態に限定されるものではない。すなわち、一および他の実施の形態にそれぞれ示された特徴を相互に入れ換えて採用することも可能である。例えば、ソケット部材と略Ｊ字状曲折部との上下方向を入れ替えてもよい。
【図面の簡単な説明】
【図１】本発明の一実施の形態に係るねじ無し丁番を備えた眼鏡を示す正面図である。
【図２】本発明の一実施の形態に係るねじ無し丁番を備えた眼鏡を示す平面図である。
【図３】本発明の一実施の形態に係るねじ無し丁番を備えた眼鏡を示す側面図である。
【図４】本発明の一実施の形態に係る眼鏡のヨロイ側樹脂パーツを示す、（Ａ）正面図、（Ｂ）平面図および（Ｃ）側面図である。
【図５】本発明の一実施の形態に係る眼鏡のブリッジ側樹脂パーツを示す、（Ａ）正面図、（Ｂ）平面図および（Ｃ）側面図である。
【図６】本発明の一実施の形態に係る眼鏡のヨロイの一例を示す、（Ａ）斜視図および（Ｂ）ヨロイ側樹脂パーツとヨロイとの連結状態を示す側面図である。
【図７】本発明の一実施の形態に係る眼鏡のブリッジの一例を示す斜視図である。
【図８】本発明の一実施の形態に係るねじ無し丁番のソケット部材を示す、（Ａ）側面図および（Ｂ）平面図、および（Ｃ）ねじ無し丁番構造を示す側面図である。
【図９】本発明の他の実施の形態に係るねじ無し丁番の構造を示す分解斜視図である。
【符号の説明】
１００    リムレス眼鏡
１１０    レンズ
１１２    レンズ孔
１２０    ヨロイ側樹脂パーツ
１２２    基部
１２４    腕部
１２６    脚部
１２８    取付溝
１３０    ブリッジ側樹脂パーツ
１３２    基部
１３４    腕部
１３６    脚部
１３８    取付溝
１４０    ヨロイ
１４２    略U字状の屈曲部
１５０    ブリッジ
１５２    略U字状の屈曲部
１６０    ねじ無し丁番
１６２    ソケット部材
１６４    貫通孔
１６６    鍔部
１６７    円弧状窪み
１６８    直線状斜面
１６９    凹部
１７０    テンプル
１７２    Ｊ字状曲折部
１７４    第１脚部
１７６    第２脚部
１７８    折り曲げ外周部
【図１】
0003682036.tif 000002
【図２】
0003682036.tif 000003
【図３】
0003682036.tif 000004
【図４】
0003682036.tif 000005
【図５】
0003682036.tif 000006
【図６】
0003682036.tif 000007
【図７】
0003682036.tif 000008
【図８】
0003682036.tif 000009
【図９】
0003682036.tif 000010